(57)【要約】      （修正有）【課題】本考案は、便利型木質畳み家具を提供する。【解決手段】主として、予めに決められたサイズの、上下板の間に高張力伸性支持布４が挟まれた細長い板材を利用し、当該板材は、上下板を切削して中央にある支持布４だけを残す断面設計により、三つの断面で等距離の三つの端面が得られ、また、両側の断面により、三つの端面が、冂形状のフレームのような畳み椅子１（机）を形成し、また、中央にある断面により、冂形状の畳み椅子（机）を畳み合って対称する薄板になり、外出の時、携帯に便利であることと、収納する時、スペースが取らないこととの効果が得られる。【選択図】図１
0003113486.tif 000002
【実用新案登録請求の範囲】
【請求項１】
上板と、下板と、上、下板の間に挟まれる伸性支持布とからなる木質板材を畳み合うことにより、構成される畳み家具であって、
当該上、下板は、中央部分に、厚さ方向に切削されることにより、主横断面が設けられ、当該主横断面に位置する切削されない伸性支持布を境として、当該板材を、互いに畳み合って重ね合う状態になる二つの薄板にし、また、当該板材の両側には、予めに決められた位置に、同様に厚さ方向の上、下板が切削されて形成される二つの副横断面が、設けられ、当該二つの副横断面の間には、中央に位置する水平の荷重面が形成され、両側においては、対称の支持面が形成され、伸性支持布により、当該板材は、冂形状のフレームになり、
また、フレームの両側にある支持面には、されぞれ、多角形の連接シートがあり、当該二つの連接シートの一側は、当該伸性支持布により、支持面に連結され、当該連結部が、軸支関節となり、他の三つの側は、支持面から切り離され、当該二つの連接シートは、中へ折られ、また、連結シートのそれぞれの当該連結部の反対側は、結合素子により、互いに連結される、ことを特徴とする、便利型木質畳み家具。
【請求項２】
連接シートの上端面に、荷重面の底部を抵当する突出が形成され、軸支関節側の反対側に、回転できる上、下接続部が形成され、二つの接続部は、横方向にネジのような結合素子により螺合され、上、下接続部には、径方向に円棒体のような結合素子が貫設され、支持面において、軸支関節側の反対側の中央に、中へ延ばす突出部が設けられ、二つの突出部の内側に、Ｖ形状の槽な係合槽が形成される、ことを特徴とする、請求項１に記載の便利型木質畳み家具。
【請求項３】
当該畳み家具は、畳み椅子や畳み机である、ことを特徴とする、請求項１に記載の便利型木質畳み家具。
【考案の詳細な説明】
【技術分野】
【０００１】
本考案は、便利型畳み家具に関し、特に、単一の板材を畳み合うことにより構成される机や椅子のようなものに関する。
【背景技術】
【０００２】
従来の携帯式椅子は、プラスチックで射出成形された上下に畳み合うプラスチック椅子と、鉄で作った丈夫且つ収納可能な門形椅子とがあり、プラスチック椅子は、軽量且つ携帯に便利である特性を有するが、プラスチックで成形する椅子であるため、扁平の小さい体積に収納されず、携帯するには、スペースが取られる問題があり、また、プラスチックで射出成形される椅子は、厚さ（約３−５ｍｍ）や材質により、その荷重が制限される。
【０００３】
全体として、上記の問題を解決するより実用的な技術手段を開発しなければならない現状である。
【考案の開示】
【考案が解決しようとする課題】
【０００４】
本考案は、従来の固定性プラスチック椅子において、荷重性が不足であることと、収納できないため収納する時スペースが取られることとを解決できる便利型木質畳み家具を提供する。
【課題を解決するための手段】
【０００５】
本考案に係わる便利型木質畳み家具は、従来の固定性プラスチック椅子の、荷重性が不足であることと、収納できないため収納する時スペースが取られることとを解決でき、ユーザーが座れることだけでなく、畳むことにより対称の薄板になるため、外出する時の携帯や収納する時のスペースを取らない二重の効果が得られる。
【考案を実施するための最良の形態】
【０００６】
本考案は、『便利型木質畳み家具』であり、本実施例に係わる畳み家具は、畳み可能な机や椅子であり、図１は、当該冂形状のフレーム態様の畳み椅子（１）であり、畳み椅子（１）は、上板（２）と、下板（３）と、上、下板（２、３）の間に挟まれる高張力伸性支持布（４）（例えば、牛筋布や帆布等）とからなる細長い形状の木質板材により構成され、当該板材同士が垂直になると、座れる冂形状のフレーム（図１のように）になり、当該板材同士が畳まれると、収納する時にスペースを取らない、対称する薄板（図２のように）になるため、外出の時、携帯に非常に便利だし、収納する時、スペースを取らない効果が得られる。
【０００７】
本考案の畳み椅子（１）全体の構造は、図１、２のように、予めに決められた長さ、幅、厚さを有する当該板材の中央に、上、下板（２、３）の厚さ方向を貫通するＷ形状（連続する二つのＶ形状の割目からなる）の主横断面（５）が設けられ、当該主横断面（５）は、上、下板（２、３）の横方向の幅全体を跨ぐように、設けられ、これにより、主横断面（５）の横方向に切削設計により、単一の板材により互いに畳み合える対称する薄板が形成され、また、上、下板（２、３）の厚さが完全に切削されてＶ形状の割目を形成するため、中央にある挟まれる支持布（４）だけが主横断面（５）の支持軸心になり、そのため、主横断面（５）の両側に対称する薄板は、主横断面（５）の中央にある支持布（４）が畳み合い軸心となるため、細長い形状の板材が、畳み合うような状態（図２のように）になり、
また、板材は、横断面（５）から予めに決められた距離が離れた両側に、左、右対称のＶ形状畳み合い断面（６）が形成され、板材の両側に形成される畳み合い断面（６）の設計により、板材は、等距離の三つの面（両側が等距離で、両側と中央は、等距離でない設計でもよく、必要に応じて任意に変更が出来ること）になり、
上記の板材の両側に形成される副横断面（６）は、中央にある主横断面（５）と同じ設計を取り、即ち、上、下板（２、３）は、横方向にある厚さ方向全体が切削されてＶ形状の割目が形成され、中央に挟まれる支持布（４）だけが残され、当該副横断面（６）である、中央に位置する残される高張力伸性支持布（４）により、板材の両側は、中へ垂直に折ることが出来、二つの垂直に折られる部分は、支持面（７）となり、二つの支持面（７）を連接する水平の部分は、荷重面（８）となり、当該荷重面（８）と両側にある支持面（７）により、開放スペースを有する冂形状の畳み椅子（１）の基本のフレームとなる。
【０００８】
更に、図１の支持面（７）について、細部構造を詳しく説明し、図面から分かるように、畳み椅子（１）の開放スペースには、支持・位置付け荷重面（８）の連接シート（７１）が設けられ、二つの連接シート（７１）の外側の予めに決められた位置において、縦方向に、連接シート（７１）の上、下板全体の厚さが切削される断面設計により、連接シート（７１）の外側には、可動に軸支されるように、上、下の間隔が対称する接続部（７２）が形成され、また、二つの接続部（７２）と連接シート（７１）との角度が予めに決められた角度になると、二つの接続部（７２）の内側が互いに重ね合うような状態になり、また、重ね合う位置に、縦方向の円棒体（７３）のような結合素子が設置され、また、ネジ（７４）のような結合素子は、横方向に接続部（７２）に固定され、これにより、当該円棒体（７３）が安定に固定されることだけでなく、二つの連接シート（７１）と連結して、より強力的な支持構造が得られる。
【０００９】
矩形状の支持面（７）内に予めに決められたサイズの三つの端面が切り離されて、そして、残りの一端面の上、下板を軸方向に切削することにより、上下板全体の厚さが切削されてＶ形状の断面となり、連接シート（７１）が形成され、また、当該断面の中央に位置する支持布により、連接シート（７１）の一端が支持面（７）に軸支するように連結され、そのため、支持面（７）上の連接シート（７１）が畳み椅子（１）の内部にある開放スペースへ推されることができ、また、当該連接シート（７１）と支持面（７）との連結位置に形成される断面は、軸支関節（９）となり、連接シート（７１）は、当該軸支関節（９）により、切り離された三つの端面が開放スペースへ推されることが出来て、結合素子により形状支持構造が形成される。
【００１０】
上記の二つの連接シート（７１）が結合することにより形成されたく形状支持構造は、主として、連接シート（７１）の上端の突出（７５）が荷重面（８）の下板に抵当することと、軸支関節（９）である高張力伸性支持布とにより、荷重面（８）に対して、垂直的な支持剛性効果を与え、其れだけでなく、結合素子を介して二つの連接シート（７１）を結合する設計により、畳み椅子（１）の荷重に対する支持剛性が向上される。
【００１１】
また、円棒体（７３）のような結合素子において、軸方向に上、下の接続部（７２）を連接する設計は、もう一つの目的が、図１のような冂形状の畳み椅子（１）を図２のように二つの薄板の状態に畳む時、両側の連接シート（７１）が外へ突出することを防止し、また、径方向に連接される接続部（７２）の円棒体（７３）と、二つの支持面（７）の中央突出部（７６）に設置されるＶ形状の係合槽のような係合体（１０）とにより、畳み椅子（１）が畳み合わされて二つの薄板になる時、二つの係合体（１０）が当該円棒体（７３）を挟むようになり、これにより、連接シート（７１）を位置付けることが出来る。
【００１２】
また、図２の収納状態である畳み椅子（１）を座れる状態（図３Ａ、３Ｂ、３Ｃ、３Ｄを参照しながら）にする場合、片手で荷重面（８）を軽く推すと、板材の中央にある主横断面（５）と、両側にある副横断面（６）とにより、頂上部の荷重面（８）が水平な状態になり、また、二つの支持面（７）が垂直な状態になり、これにより、座れる畳み椅子（１）の構造が得られる。
【００１３】
また、図４、５、６は、本考案の他の実施の形態であり、当該実施例において、全ての構造設計や技術手段は、上記の実施例と同一であり、同じ構造素子についての名称及び符号は、上記の実施例と同じであり、また、説明を省略する。
【図面の簡単な説明】
【００１４】
【図１】本考案の畳み椅子を展開する時の外観概念図
【図２】本考案の畳み椅子を収納する状態の外観概念図
【図３Ａ】本考案の畳み椅子の展開する過程の側面図
【図３Ｂ】本考案の畳み椅子の展開する過程の側面図
【図３Ｃ】本考案の畳み椅子の展開する過程の上面透視図
【図３Ｄ】本考案の畳み椅子の展開する過程の上面透視図
【図４】本考案の第２の実施例の畳み机の外観概念図
【図５】本考案の第２の実施例の畳み机の収納状態の外観概念図
【図６】本考案の第２の実施例の畳み机の展開状態の断面概念図
【符号の説明】
【００１５】
１──────畳み椅子      １Ａ─────畳み▲たく▼
２──────上板          ３──────下板
４──────支持布        ５──────主横断面
６──────副横断面      ７──────支持面
８──────荷重面        ９──────軸支関節
１０─────係合体        １１─────貫通穴
７１─────連接シート    ７２─────接続部
７３─────円棒体        ７４─────ネジ
７５─────突出          ７６─────突出部
Ａ──────減重穴
【図１】
0003113486.tif 000003
【図２】
0003113486.tif 000004
【図３Ａ】
0003113486.tif 000005
【図３Ｂ】
0003113486.tif 000006
【図３Ｃ】
0003113486.tif 000007
【図３Ｄ】
0003113486.tif 000008
【図４】
0003113486.tif 000009
【図５】
0003113486.tif 000010
【図６】
0003113486.tif 000011